(57)【特許請求の範囲】
【請求項１】
給水路より供給される水をバーナの燃焼により加熱し潜熱回収用熱交換器および給湯用熱交換器を介して給湯路に供給するとともに、循環ポンプを介して再度前記給湯用熱交換器に戻して給湯循環回路を形成し、前記給湯循環回路には利用側熱交換器を配設して負荷側に熱量を供給する回路を形成するとともに、前記利用側熱交換器を経由した給湯循環回路から分岐して給湯栓に湯を供給する給湯路と、前記給湯路から分岐して注湯用開閉弁を介し風呂に注湯を行うための注湯回路を形成した１缶多水路の給湯装置であって、前記利用側熱交換器を経由した後の給湯路に分岐するまでの給湯循環回路に流量センサを設け、前記循環ポンプを回転しているにもかかわらず、前記流量センサで所定の流量が検出されなかった場合、前記注湯用開閉弁を開弁し風呂への注湯が行われなければ断水であるものとして、前記循環ポンプを用いた加熱を停止するようにした給湯装置。
【請求項２】
利用側熱交換器として、風呂の追い焚きを行う風呂回路に熱量を供給する風呂用熱交換器として用い、給湯または風呂追い焚きの単独利用、あるいは給湯と風呂追い焚きの同時利用、を選択できるようにした請求項１記載の給湯装置。
【請求項３】
利用側熱交換器として、暖房や浴室乾燥等を行う暖房装置を有する暖房回路に熱量を供給する暖房用熱交換器と、風呂の追い焚きを行う風呂回路に熱量を供給する風呂用熱交換器を設け、給湯または暖房または風呂追い焚きの単独利用、あるいは給湯と暖房と風呂追い焚きのうち少なくとも２つの同時利用、を選択できるようにした請求項１記載の給湯装置。
【請求項４】
給水路より供給される水をバーナの燃焼により加熱し潜熱回収用熱交換器および給湯用熱交換器を介して給湯路に供給するとともに、循環ポンプを介して再度前記給湯用熱交換器に戻して給湯循環回路を形成し、前記給湯循環回路には利用側熱交換器を配設して負荷側に熱量を供給する回路を形成するとともに、前記利用側熱交換器を経由した給湯循環回路から分岐して給湯栓に湯を供給する給湯路と、前記給湯循環回路または、前記給湯路から分岐して排水用開閉弁を介し排水口等に接続される排水回路を形成した１缶多水路の給湯装置であって、前記利用側熱交換器を経由した後の給湯路に分岐するまでの給湯循環回路に流量センサを設け、前記循環ポンプを回転しているにもかかわらず、前記流量センサで
所定の流量が検出されなかった場合、前記排水用開閉弁を開弁し排水が行われなければ断水であるものとして、前記循環ポンプを用いた加熱を停止するようにした給湯装置。
【請求項５】
利用側熱交換器として、暖房や浴室乾燥等を行う暖房装置を有する暖房回路に熱量を供給する暖房用熱交換器として用い、給湯または暖房の単独利用、あるいは給湯と暖房の同時利用、を選択できるようにした請求項４記載の給湯装置。
【請求項６】
給湯装置をコントロールするリモートコントロール装置を備え、断水が検出され、循環ポンプを用いた加熱が停止されている間は、前記リモートコントロール装置に断水中であることを表す表示を行うようにした請求項１から５の何れかに記載の給湯装置。
【請求項７】
給水路に設けた流量センサを備え、断水が検出され、循環ポンプを用いた加熱が停止されている間に、前記給水路の流量センサにて所定の流量が検出された場合には、断水が解除されたものとして循環ポンプを用いた加熱を再び行えるようにした請求項１から６の何れかに記載の給湯装置。
【発明の詳細な説明】
【技術分野】
【０００１】
本発明は、バーナの燃焼熱により加熱する給湯用熱交換器を介して供給される湯水を循環させて複数の負荷側に熱量を供給する１缶多水路の給湯装置に関するものである。
【背景技術】
【０００２】
従来この種の燃焼装置としては、特許文献１のように、給水路を通して供給される水をバーナの燃焼により加熱して給湯路に給湯する給湯用熱交換器と、入路を通して供給される加熱対象流体を前記バーナの燃焼により加熱して出路に流出する流体用熱交換器とが設けられている給湯装置であって、前記給湯用熱交換器が前記バーナの燃焼排ガスの顕熱を回収する給湯用顕熱熱交換部と、その給湯用顕熱熱交換部よりも前記バーナの燃焼排ガスの流動方向の下流側に配置され、前記バーナの燃焼排ガスの潜熱を回収する給湯用潜熱熱交換部とを備えて構成され、前記流体用熱交換器が、前記バーナの燃焼排ガスの顕熱を回収する流体用顕熱熱交換部と、その流体用顕熱熱交換部よりも前記バーナの燃焼排ガスの流動方向の下流側に配置され、前記バーナの燃焼排ガスの潜熱を回収する流体用潜熱熱交換部とを備えて構成され、前記給湯用顕熱熱交換部と流体用顕熱熱交換部とが、互いに熱伝導する状態で一体的に形成され、かつ、前記給湯用潜熱熱交換部と流体用潜熱熱交換部とが、互いに熱伝導する状態で一体的に形成された給湯装置が開示されている（例えば、特許文献１参照）。
【特許文献１】特開２００２−２６７２６２号公報
【発明の開示】
【発明が解決しようとする課題】
【０００３】
しかしながら、前記従来の給湯装置は、バーナで加熱される経路として、給湯用と流体用の２つの経路を形成しているため、配管構成が複雑になるとともに、単独運転時に運転停止側の熱交換器内の残水の沸騰が発生するという課題を有するものであった。
【０００４】
また、バーナの燃焼ガスの流出経路中に給湯用熱交換器と流体用熱交換器をそれぞれ配置し、前記給湯用熱交換器に給湯用顕熱熱交換部と給湯用潜熱熱交換部を設け、前記流体用熱交換器に流体用顕熱熱交換部と流体用潜熱熱交換部を設けた構成としているため、顕熱熱交換部と潜熱熱交換部にそれぞれ給湯用熱交換器と流体用熱交換器を一体的に形成する必要があり、給湯用熱交換器及び流体用熱交換器として極めて複雑な構成を強いられるものであった。
【０００５】
さらに、上記従来例には開示されていないが、バーナで加熱された湯水を循環し、その循環水を利用して複数の利用回路に熱量を供給するような構成において、断水により水落ち現象が発生し前記循環水がない状態において利用回路から運転要求があった場合、バーナの燃焼が開始され空焚き状態で運転が継続されてしまうため、異常過熱防止装置が作動してしまうという課題を有するものであった。
【０００６】
本発明は前記従来の課題を解決するもので、給湯用熱交換器と潜熱回収用熱交換器で１つの加熱経路を形成し、前記加熱経路の循環水を利用して暖房回路や風呂回路に熱量を供給する構成とすることで、前記給湯用熱交換器や潜熱回収用熱交換器に関連しない利用側熱交換器の構成を可能とし、配管構成を含む本体構成の簡素化により器具の小型化、軽量化を実現するとともに、前記加熱経路を給湯路主体とすることで給湯性能を優先した使い勝手のよい給湯装置を提供する。また、給湯路を主体とする１つの加熱経路構成における断水による水落ちの検出と安全性の向上を図った給湯装置を提供することを目的とする。
【課題を解決するための手段】
【０００７】
前記従来の課題を解決するために、本発明の給湯装置は、給水路より供給される水をバーナの燃焼により加熱し潜熱回収用熱交換器および給湯用熱交換器を介して給湯路に供給するとともに、循環ポンプを介して再度前記給湯用熱交換器に戻して給湯循環回路を形成し、前記給湯循環回路には利用側熱交換器を配設して負荷側に熱量を供給する回路を形成するとともに、前記利用側熱交換器を経由した給湯循環回路から分岐して給湯栓に湯を供給する給湯路と、前記給湯路から分岐して注湯用開閉弁を介し風呂に注湯を行うための注湯回路を形成した１缶多水路の給湯装置であって、前記利用側熱交換器を経由した後の給湯路に分岐するまでの給湯循環回路に流量センサを設け、前記循環ポンプを回転しているにもかかわらず、前記流量センサで所定の流量が検出されなかった場合、前記注湯用開閉弁を開弁し風呂への注湯が行われなければ断水であるものとして、前記循環ポンプを用いた加熱を停止するようにしたものである。
【０００８】
これによって、給湯用熱交換器と潜熱回収用熱交換器で１つの加熱経路を形成し、前記加熱経路の循環水を利用して暖房回路や風呂回路に熱量を供給する構成としているため、前記給湯用熱交換器や潜熱回収用熱交換器に関連しない利用側熱交換器の構成を可能とし、配管構成を含む本体構成の簡素化により器具の小型化、軽量化を実現するとともに、前記加熱経路を給湯路主体とすることで給湯性能を優先した使い勝手のよい給湯装置を提供することができ、また、給湯路を主体とする１つの加熱経路構成とすることで、単独運転時における熱交換器内の残水沸騰問題を解消している。また、循環ポンプを回転しても所定の循環流量が検出されなかった場合、注湯用開閉弁を開弁し注湯が行われるかどうかを確認し、注湯が行われなければ断水により加熱経路内の水落ち現象が発生したものとして循環ポンプを用いた加熱を停止することで空焚き運転を防止することができ、安全性の向上を図った給湯装置を提供することができる。
【発明の効果】
【０００９】
本発明の給湯装置は、給湯用熱交換器と潜熱回収用熱交換器で１つの加熱経路を形成し、前記加熱経路内に流量信号が存在するときのみ、前記加熱経路の循環水を利用して暖房回路や風呂回路に熱量を供給する構成とすることで、前記給湯用熱交換器や潜熱回収用熱交換器に関連しない利用側熱交換器の構成を可能とし、配管構成を含む本体構成の簡素化により器具の小型化、軽量化を実現するとともに、前記加熱経路を給湯路主体とすることで給湯性能を優先した使い勝手のよい給湯装置を提供することができ、かつ、断水により加熱経路内の水落ち現象が発生した場合、断水による水落ちを検出し、空焚き運転を防止することができ、安全性の向上を図った給湯装置を提供することができる。
【発明を実施するための最良の形態】
【００１０】
第１の発明は、給水路より供給される水をバーナの燃焼により加熱し潜熱回収用熱交換器および給湯用熱交換器を介して給湯路に供給するとともに、循環ポンプを介して再度前記給湯用熱交換器に戻して給湯循環回路を形成し、前記給湯循環回路には利用側熱交換器を配設して負荷側に熱量を供給する回路を形成するとともに、前記利用側熱交換器を経由した給湯循環回路から分岐して給湯栓に湯を供給する給湯路と、前記給湯路から分岐して注湯用開閉弁を介し風呂に注湯を行うための注湯回路を形成した１缶多水路の給湯装置であって前記利用側熱交換器を経由した後の給湯路に分岐するまでの給湯循環回路に流量センサを設け、前記循環ポンプを回転しているにもかかわらず、前記流量センサで所定の流量が検出されなかった場合、前記注湯用開閉弁を開弁し風呂への注湯が行われなければ断水であるものとして、前記循環ポンプを用いた加熱を停止するようにしたことを特徴とするものである。
【００１１】
そして、給湯用熱交換器と潜熱回収用熱交換器で１つの加熱経路を形成し、前記加熱経路の循環水を利用して暖房回路や風呂回路に熱量を供給する構成としているため、前記給
湯用熱交換器や潜熱回収用熱交換器に関連しない利用側熱交換器の構成を可能とし、配管構成を含む本体構成の簡素化により器具の小型化、軽量化を実現するとともに、前記加熱経路を給湯路主体とすることで給湯性能を優先した使い勝手のよい給湯装置を提供することができ、また、給湯路を主体とする１つの加熱経路構成とすることで、単独運転時における熱交換器内の残水沸騰問題を解消している。また、循環ポンプを回転しても所定の循環流量が検出されなかった場合、注湯用開閉弁を開弁し注湯が行われるかどうかを確認し、注湯が行われなければ断水により加熱経路内の水落ち現象が発生したものとして循環ポンプを用いた加熱を停止することで空焚き運転を防止することができ、安全性の向上を図った給湯装置を提供することができる。
【００１２】
第２の発明は、利用側熱交換器として、風呂の追い焚きを行う風呂回路に熱量を供給する風呂用熱交換器として用い、給湯または風呂追い焚きの単独利用、あるいは給湯と風呂追い焚きの同時利用、を選択できるようにしたことを特徴とするもので、給湯用熱交換器と潜熱回収用熱交換器で構成する給湯循環回路を用いて給湯と風呂追い焚きを行うように構成した給湯装置に限定したものであり、給湯と風呂追い焚きを１つの加熱経路で構成することで、配管構成を含む本体構成の簡素化により器具の小型化、軽量化を実現するとともに、潜熱回収により効率アップを図ることで給湯性能と風呂追い焚き性能を同時に確保することができる。
【００１３】
第３の発明は、利用側熱交換器として、暖房や浴室乾燥等を行う暖房装置を有する暖房回路に熱量を供給する暖房用熱交換器と、風呂の追い焚きを行う風呂回路に熱量を供給する風呂用熱交換器を設け、給湯または暖房または風呂追い焚きの単独利用、あるいは給湯と暖房と風呂追い焚きのうち少なくとも２つの同時利用、を選択できるようにしたことを特徴とするもので、給湯用熱交換器と潜熱回収用熱交換器で構成する給湯循環回路を用いて給湯と暖房と風呂追い焚きを行うように構成した給湯装置に限定したものであり、給湯と暖房と風呂追い焚きを１つの加熱経路で構成することで、配管構成を含む本体構成の簡素化により器具の小型化、軽量化を実現するとともに、潜熱回収により効率アップを図ることで給湯性能と暖房性能と風呂追い焚き性能を同時に確保することができる。
【００１４】
第４の発明は、給水路より供給される水をバーナの燃焼により加熱し潜熱回収用熱交換器および給湯用熱交換器を介して給湯路に供給するとともに、循環ポンプを介して再度前記給湯用熱交換器に戻して給湯循環回路を形成し、前記給湯循環回路には利用側熱交換器を配設して負荷側に熱量を供給する回路を形成するとともに、前記利用側熱交換器を経由した給湯循環回路から分岐して給湯栓に湯を供給する給湯路と、前記給湯循環回路または、前記給湯路から分岐して排水用開閉弁を介し排水口等に接続される排水回路を形成した１缶多水路の給湯装置であって、前記利用側熱交換器を経由した後の給湯路に分岐するまでの給湯循環回路に流量センサを設け、前記循環ポンプを回転しているにもかかわらず、前記流量センサで所定の流量が検出されなかった場合、前記排水用開閉弁を開弁し排水が行われなければ断水であるものとして、前記循環ポンプを用いた加熱を停止するようにしたことを特徴とするものである。
【００１５】
そして、給湯用熱交換器と潜熱回収用熱交換器で１つの加熱経路を形成し、前記加熱経路の循環水を利用して暖房回路や風呂回路に熱量を供給する構成としているため、前記給湯用熱交換器や潜熱回収用熱交換器に関連しない利用側熱交換器の構成を可能とし、配管構成を含む本体構成の簡素化により器具の小型化、軽量化を実現するとともに、前記加熱経路を給湯路主体とすることで給湯性能を優先した使い勝手のよい給湯装置を提供することができ、また、給湯路を主体とする１つの加熱経路構成とすることで、単独運転時における熱交換器内の残水沸騰問題を解消している。また、循環ポンプを回転しても所定の循環流量が検出されなかった場合、排水用開閉弁を開弁し排水が行われるかどうかを確認し、排水が行われなければ断水により加熱経路内の水落ち現象が発生したものとして循環ポ
ンプを用いた加熱を停止することで空焚き運転を防止することができ、安全性の向上を図った給湯装置を提供することができる。
【００１６】
第５の発明は、利用側熱交換器として、暖房や浴室乾燥等を行う暖房装置を有する暖房回路に熱量を供給する暖房用熱交換器として用い、給湯または暖房の単独利用、あるいは給湯と暖房の同時利用、を選択できるようにしたことを特徴とするもので、給湯用熱交換器と潜熱回収用熱交換器で構成する給湯循環回路を用いて給湯と暖房を行うように構成した給湯装置に限定したものであり、給湯と暖房を１つの加熱経路で構成することで、配管構成を含む本体構成の簡素化により器具の小型化、軽量化を実現するとともに、潜熱回収により効率アップを図ることで給湯性能と暖房性能を同時に確保することができる。
【００１７】
第６の発明は、給湯装置をコントロールするリモートコントロール装置を備え、断水が検出され、循環ポンプを用いた加熱が停止されている間は、前記リモートコントロール装置に断水中であることを表す表示を行うようにしたことを特徴とするもので、使用者に対し暖房や追い焚きという循環ポンプを用いた加熱ができない理由が器具の故障ではないことを知らせることができ、不要なメンテナンスの要求を減らすことができる。
【００１８】
第７の発明は、給水路に設けた流量センサを備え、断水が検出され、循環ポンプを用いた加熱が停止されている間に、前記給水路の流量センサにて所定の流量が検出された場合には、断水が解除されたものとして循環ポンプを用いた加熱を再び行えるようにしたことを特徴とするもので、断水の解除後自動的に安全に器具を復帰させることができ、不要なメンテナンスの要求を減らすことができるとともに、使用者の利便性を向上することができる。
【００１９】
以下、本発明の実施の形態について、図面を参照しながら説明する。なお、本実施の形態によって本発明が限定されるものではない。
【００２０】
（実施の形態１）
図１は、本発明の第１の実施の形態における給湯装置の構造図を示すものである。
【００２１】
図１において、まず給水路１より供給される水をバーナ２の燃焼により加熱し所定の温度に上昇した後、給湯路に供給し、利用側熱交換器である暖房用熱交換器１８と風呂用熱交換器２７の一次側経路を経由した後、循環ポンプ１７を介して再度給水路１に合流させて給湯循環回路１９を形成している。そして、暖房用熱交換器１８と風呂用熱交換器２７を経由した後の給湯循環回路１９から分岐させて給湯路３を形成し、この給湯路３と給水路１を連通して形成したバイパス通路４から給水路１より供給される水の一部をバイパス制御弁５を介して供給することで所望の湯水に調整し、給湯栓６より出湯する給湯路を構成している。
【００２２】
ここで、バーナ２はガス元電磁弁７、ガス比例弁８、ガス切替弁９が配設されたガス供給路１０より燃料が供給され、燃焼用ファン１１より燃焼用空気が供給されて、予め定められたシーケンスに従い燃焼動作が行われる。そして、バーナ２の燃焼により発生する燃焼ガスは燃焼室１２を通って排気通路１３を経由し排気口１４から器具外に排出される。
【００２３】
この燃焼ガスの排気経路に燃焼ガスの顕熱を回収する給湯用熱交換器１５と燃焼排ガスの潜熱を回収する潜熱回収用熱交換器１６を配設している。具体的には、バーナ２の下流側燃焼室１２に給湯用熱交換器１５を設け、その下流側排気通路１３に潜熱回収用熱交換器１６を設け、前記給水路１より供給される水を、まず潜熱回収用熱交換器１６に供給し燃焼排ガス中の潜熱を回収したのち、給湯用熱交換器１５に供給しバーナ２の燃焼により所定の高温水に上昇させて給湯路３に供給する。このように従来の給湯用熱交換器１５に
よる熱回収に加え、燃焼排ガスの潜熱を回収する潜熱回収用熱交換器１６を設けることで、総合的な熱効率を高め省エネを図るものである。
【００２４】
暖房回路２０は、暖房用熱交換器１８の２次側に放熱機２１等の負荷を接続して閉回路を形成し、暖房用循環ポンプ２２で循環させることにより、前記暖房用熱交換器１８で給湯循環回路１９より供給される高温水と熱交換して暖房熱量を確保するようにしている。
【００２５】
風呂回路２８は風呂用循環ポンプ２９、水量検知部３０を通って浴槽３１の湯を風呂用熱交換器２７に供給し所定時間循環させることにより、前記風呂用熱交換器２７で給湯循環回路１９より供給される高温水と熱交換して浴槽水の追い焚きを行う。
【００２６】
また、浴槽３１へ湯張りを行う注湯回路３２として、バイパス通路４の下流側の給湯路３から分岐し注湯用開閉弁３４を介し風呂回路２８に連通する経路を形成している。
【００２７】
以上のように構成された燃焼装置について、以下その動作、作用を説明する。
【００２８】
まず、給湯運転時には、給湯栓６を開くと給水路１に配設した給水側流量センサ２３が通水を検知し、この通水信号で燃焼用ファン１１が動作し同時にガス元電磁弁７、ガス比例弁８が開き、バーナ２に燃料と燃焼用空気が供給されて着火動作により燃焼が開始する。このバーナ２の燃焼開始により発生した燃焼ガスは燃焼室１２から排気通路１３を経由して排気口１４より排出される。この燃焼ガスの排気動作の過程において燃焼室１２に配設した給湯用熱交換器１５と排気通路１３に配設した潜熱回収用熱交換器１６で給水路１より供給される水が加熱される。
【００２９】
給湯用熱交換器１５で加熱された湯水は、前記給湯用熱交換器１５と潜熱回収用熱交換器１６を迂回するように給水路１と給湯路３を連通して設けたバイパス通路４に配設したバイパス制御弁５により入水側の水と混合される。混合された湯は遠隔操作用リモコン２４で設定した給湯設定温度になるよう出湯サーミスター２５の信号によりバイパス制御弁５の開度を調整し、給湯接続口２６を経て給湯栓６より給湯される。
【００３０】
このように、給湯単独運転を選択する場合は、遠隔操作用リモコン２４で所望の温度を設定し給湯栓６を開くことで自動的に設定された湯温の湯水を確保することができる。
【００３１】
暖房運転時には、放熱機２１の運転指令で、暖房回路２０に設けた暖房用循環ポンプ２２が駆動し、連動して給湯循環回路１９の温水を循環させるポンプ１７が駆動することによりバーナ２に着火し、燃焼された熱を回収する給湯用熱交換器１５で加熱された温水は暖房用熱交換器１８で熱交換され暖房回路２０へ伝熱される。暖房用熱交換器１８で受熱した暖房回路２０の熱は、放熱機２１で温風として放熱される。
【００３２】
また、風呂運転時には、遠隔操作用リモコン２４の運転指令で、風呂回路２８に設けた風呂用循環ポンプ２９が駆動し水流検知部３０にて循環が検知されると、連動して給湯循環回路１９の温水を循環させるポンプ１７が駆動することによりバーナ２に着火し、燃焼された熱を回収する給湯用熱交換器１５で加熱された温水は風呂用熱交換器２７で熱交換され風呂回路２８へ伝熱される。風呂用熱交換器２７で受熱した風呂回路２８の熱は、浴槽３１へ循環し追い焚き加熱される。
【００３３】
また、暖房と風呂同時運転時には、放熱機２１と遠隔操作用リモコン２４からの運転指令により、暖房回路２０と風呂回路２８のポンプ２２、２９が駆動しバーナ２の着火動作により燃焼が開始する。この燃焼により給湯循環回路１９の循環水は潜熱回収用熱交換器１６と給湯用熱交換器１５で加熱され所定の高温水の状態を維持しながら循環する。この
高温の循環水は暖房用熱交換器１８と風呂用熱交換器２７に略同一の温度で供給され、暖房回路２０と風呂回路２８に伝熱される。
【００３４】
このように、利用側熱交換器である暖房用熱交換器１８および風呂用熱交換器２７を経由した後の給湯循環回路１９から給湯路３を分岐した構成とすることで、利用側負荷の運転に必要な高温水を確保しつつ、給湯路に対して高温水から低温水まで幅広い範囲の湯水を調節して供給することが可能な給湯優先動作を確保することができる。
【００３５】
ここで、燃焼排ガスの潜熱を回収する潜熱回収用熱交換器１６は、排ガス経路に対して給湯用熱交換器１５の下流側に位置させ、給水経路に対して給湯用熱交換器１５の上流側に位置させて設けており、潜熱回収熱交換器１６で予熱された湯水を給湯用熱交換器１５で加熱するようにしている。これによりバーナ２の燃焼で発生した熱量を効率よく熱交換することができ省エネにつながる。
【００３６】
注湯運転時には、遠隔操作用リモコン２４からの運転指令で注湯用開閉弁３４を開弁し、遠隔操作用リモコン２４で設定されている風呂用温度の湯を給湯運転時と同様に調整し、遠隔操作用リモコン２４で設定されている量だけ注湯回路３２から風呂回路２８を経て浴槽３１に供給することで、自動的に所望の温度と量の湯を浴槽に張ることができる。
【００３７】
また、暖房用熱交換器１８および風呂用熱交換器２７を経由した後の給湯路３と分岐するまでの給湯循環回路１９の途中に循環量を検出する給湯流量センサ３３を設けてあり、この給湯流量センサ３３から所定の流量信号が出力されているときのみ、バーナ２の燃焼動作を行うようにしている。つまり、前記給湯流量センサ３３は給湯循環回路１９内に湯水が存在しないか循環が行われていない状態でバーナ２の燃焼動作が行われることを防止する、いわゆる空焚き燃焼を未然に防止するために設けたものである。
【００３８】
ここで、循環ポンプ１７を回転させているにもかかわらず給湯流量センサ３３から所定の流量信号が出力されない要因としては循環ポンプ１７の故障や給湯流量センサ３３の故障、給湯循環回路１９の破裂などさまざまなものが考えられる。このような状況になった場合にはメンテナンスを呼び修理を行わなければ器具を復旧することはできない。しかし、断水時に給湯栓６が開栓されると給湯循環回路１９内の湯水は給湯路３から抜け落ちて空の状態となるが、断水が復帰すれば再び水が満たされ運転可能となりメンテナンスを呼ばなくても器具は復旧される。
【００３９】
そこで、本発明では、暖房運転や追い焚き運転の指示が行われ循環ポンプ１７が動作を開始したにもかかわらず、給湯流量センサ３３から所定の流量信号が出力されない場合には、一旦注湯用開閉弁３４を開弁し、給水側流量センサ２３から流量信号が出力されるかを確認し、流量信号が出力されなかった場合には断水により給湯循環回路１９内の湯水が抜け落ちたと判断して他の要因とは区別するようにしたものである。そして暖房や追い焚きが使用できない要因が断水によるものであることを表す表示（例えばエラーコード番号など）を遠隔操作用リモコン２４に行い使用者に器具の故障でないことを知らせるようにしている。要因が断水以外である場合には断水時とは異なる表示を遠隔操作用リモコン２４に行い器具の故障であることを使用者に知らせるようにしている。
【００４０】
また、断水が解除された場合、使用者が給湯栓６を開き所定の流量（例えば１L/分など）以上の流量が流れると給水側流量センサ２３から流量信号が出力され通水が検出される。これにより断水が解除されたと判断でき、給湯循環回路１９にも再び水が満たされ暖房、追い焚き運転が可能となるため、遠隔操作用リモコン２４に表示している断水により暖房、追い焚き運転が使用できないことを表す表示を消すとともに、暖房、追い焚き運転を受け付ける通常状態に戻すようにしている。
【００４１】
以上のように本実施の形態においては、給湯用熱交換器１５と潜熱回収用熱交換器１６で１つの加熱経路を形成し、前記加熱経路の循環水を利用して利用側負荷回路である暖房回路２０と風呂回路２８に熱量を供給する構成としているため、前記給湯用熱交換器１５や潜熱回収用熱交換器１６に関連しない利用側熱交換器である暖房用熱交換器１８と風呂用熱交換器２７の構成を可能とし、配管構成を含む本体構成の簡素化により器具の小型化、軽量化を実現するとともに、前記加熱経路を給湯路主体とすることで給湯性能を優先した使い勝手のよい給湯装置を提供することができ、また、給湯路を主体とする１つの加熱経路構成とすることで、単独運転時における熱交換器内の残水沸騰問題を解消している。また、循環ポンプ１７を回転しても所定の循環流量が検出されなかった場合、注湯用開閉弁３４を開弁し注湯が行われるかどうかを確認し、注湯が行われなければ断水により加熱経路内の水落ち現象が発生したものとして循環ポンプ１７を用いた加熱を停止することで空焚き運転を防止することができ、安全性の向上を図った給湯装置を提供することができる。さらに、循環ポンプ１７を用いた加熱（暖房、追い焚き運転）が停止している要因が断水であることを遠隔操作用リモコン２４に表示することで器具の故障ではないことを使用者に知らせることができ、断水復帰を給湯栓６からの通水により検出し器具を自動復帰させることで、不要なメンテナンスの要求を減らすことができるとともに、使用者の利便性向上を図った給湯装置を提供することができる。
【００４２】
（実施の形態２）
図２は、本発明の第２の実施の形態における給湯装置の構造図を示すものである。
【００４３】
本実施の形態は、第１の実施の形態における給湯装置の利用側熱交換器として、暖房や浴室乾燥等を行う放熱機２１を有する暖房回路２０に熱量を供給する暖房用熱交換器１８のみを用い、風呂用熱交換器２７と浴槽３１への注湯を行う注湯回路３２をなくした風呂機能のないタイプの給湯装置に関するものである。なお、第１の実施の形態と同一符号のものは同一構造を有し、説明は省略する。
【００４４】
排水回路３５はバイパス通路４の下流側の給湯路３から分岐し排水用開閉弁３６を介し排水口に連通する経路を形成している。
【００４５】
次にその動作、作用を説明すると、暖房運転時には、放熱機２１の運転指令で、暖房回路２０に設けた暖房用循環ポンプ２２が駆動し、連動して給湯循環回路１９の温水を循環させるポンプ１７が駆動することによりバーナ２に着火し、燃焼された熱を回収する給湯用熱交換器１５で加熱された温水は暖房用熱交換器１８で熱交換され暖房回路２０へ伝熱される。暖房用熱交換器１８で受熱した暖房回路２０の熱は、放熱機２１で温風として放熱される。
【００４６】
このように、利用側熱交換器である暖房用熱交換器１８を経由した後の給湯循環回路１９から給湯路３を分岐した構成とすることで、利用側負荷の運転に必要な高温水を確保しつつ、給湯路に対して高温水から低温水まで幅広い範囲の湯水を調節して供給することが可能な給湯優先動作を確保することができる。
【００４７】
ここで、燃焼排ガスの潜熱を回収する潜熱回収用熱交換器１６は、排ガス経路に対して給湯用熱交換器１５の下流側に位置させ、給水経路に対して給湯用熱交換器１５の上流側に位置させて設けており、潜熱回収熱交換器１６で予熱された湯水を給湯用熱交換器１５で加熱するようにしている。これにより、暖房運転時においてもバーナ２の燃焼で発生した熱量を効率よく熱交換することができ省エネにつながる。
【００４８】
また、暖房用熱交換器１８を経由した後の給湯路３と分岐するまでの給湯循環回路１９
の途中に循環量を検出する給湯流量センサ３３を設けてあり、この給湯流量センサ３３からの流量信号が出力されているときのみ、バーナ２の燃焼動作を行うようにしている。つまり、前記給湯流量センサ３３は給湯循環回路１９内に湯水が存在しない状態でバーナ２の燃焼動作が行われることを防止する、いわゆる空焚き燃焼を未然に防止するために設けたものである。
【００４９】
ここで、循環ポンプ１７を回転させているにもかかわらず給湯流量センサ３３から所定の流量信号が出力されない要因としては循環ポンプ１７の故障や給湯流量センサ３３の故障、給湯循環回路１９の破裂などさまざまなものが考えられる。このような状況になった場合にはメンテナンスを呼び修理を行わなければ器具を復旧することはできない。しかし、断水時に給湯栓６が開栓されると給湯循環回路１９内の湯水は給湯路３から抜け落ちて空の状態となるが、断水が復帰すれば再び水が満たされ運転可能となりメンテナンスを呼ばなくても器具は復旧される。
【００５０】
そこで、本発明では、暖房運転の指示が行われ循環ポンプ１７が動作を開始したにもかかわらず、給湯流量センサ３３から所定の流量信号が出力されない場合には、一旦排水用開閉弁３６を開弁し、給水側流量センサ２３から流量信号が出力されるかを確認し、流量信号が出力されなかった場合には断水により給湯循環回路１９内の湯水が抜け落ちたと判断して他の要因とは区別するようにしたものである。そして暖房が使用できない要因が断水によるものであることを表す表示（例えばエラーコード番号など）を遠隔操作用リモコン２４に行い使用者に器具の故障でないことを知らせるようにしている。要因が断水以外である場合には断水時とは異なる表示を遠隔操作用リモコン２４に行い器具の故障であることを使用者に知らせるようにしている。  
【００５１】
また、断水が解除された場合、使用者が給湯栓６を開き所定の流量（例えば１L/分など）以上の流量が流れると給水側流量センサ２３から流量信号が出力され通水が検出される。これにより断水が解除されたと判断でき、給湯循環回路１９にも再び水が満たされ暖房運転が可能となるため、遠隔操作用リモコン２４に表示している断水により暖房運転が使用できないことを表す表示を消すとともに、暖房運転を受け付ける通常状態に戻すようにしている。
【００５２】
以上のように本実施の形態においては、給湯用熱交換器１５と潜熱回収用熱交換器１６で１つの加熱経路を形成し、前記加熱経路の循環水を利用して利用側負荷回路である暖房回路２０に熱量を供給する構成としているため、前記給湯用熱交換器１５や潜熱回収用熱交換器１６に関連しない利用側熱交換器である暖房用熱交換器１８の構成を可能とし、配管構成を含む本体構成の簡素化により器具の小型化、軽量化を実現するとともに、前記加熱経路を給湯路主体とすることで給湯性能を優先した使い勝手のよい給湯装置を提供することができ、また、給湯路を主体とする１つの加熱経路構成とすることで、単独運転時における熱交換器内の残水沸騰問題を解消している。また、循環ポンプ１７を回転しても所定の循環流量が検出されなかった場合、排水用開閉弁３６を開弁し排水が行われるかどうかを確認し、排水が行われなければ断水により加熱経路内の水落ち現象が発生したものとして循環ポンプ１７を用いた加熱を停止することで空焚き運転を防止することができ、安全性の向上を図った給湯装置を提供することができる。さらに、循環ポンプ１７を用いた加熱（暖房運転）が停止している要因が断水であることを遠隔操作用リモコン２４に表示することで器具の故障ではないことを使用者に知らせることができ、断水復帰を給湯栓６からの通水により検出し器具を自動復帰させることで、不要なメンテナンスの要求を減らすことができるとともに、使用者の利便性向上を図った給湯装置を提供することができる。
【産業上の利用可能性】
【００５３】
以上のように、本発明にかかる給湯装置は、給湯循環回路を主回路として給湯と暖房、または給湯と風呂、または給湯と暖房と風呂を単一の循環路を熱源とし、循環路の湯水有無を確認した後、バーナの燃焼動作を制御することにより、空焚き運転を確実に防止することができるとともに、循環路の湯水がない要因が断水であることを判別し器具故障と区分することで不要なメンテナンス要求を減らすことができる。また、器具の小型化・軽量化ができ、設置スペースの余裕確保、施工性の向上と、潜熱回収熱交換器を備えることにより、高効率化を実現しランニングコストの低減による省エネルギー化を図ることが可能となるため、ガス、石油の給湯風呂装置、給湯暖房機等の用途にも適用できる。
【図面の簡単な説明】
【００５４】
【図１】本発明の実施の形態１における給湯装置の構造図
【図２】本発明の実施の形態２における給湯装置の構造図
【符号の説明】
【００５５】
１    給水路
２    バーナ（加熱手段）
３    給湯路
１３  排気通路（排熱経路）
１５  給湯用熱交換器
１６  潜熱回収用熱交換器
１７  循環ポンプ
１８  暖房用熱交換器（利用側熱交換器）
１９  給湯循環回路
２０  暖房回路
２１  放熱機
２２  暖房用循環ポンプ
２３  給水側流量センサ
２４  遠隔操作用リモコン（リモートコントロール装置）
２７  風呂用熱交換器（利用側熱交換器）
２８  風呂回路
２９  風呂用循環ポンプ
３１  浴槽
３２  注湯回路
３３  給湯流量センサ
３４  注湯用開閉弁
３５  排水回路
３６  排水用開閉弁
【図１】
0004752452.tif 000002
【図２】
0004752452.tif 000003